(57)【特許請求の範囲】
【請求項１】
先端部が鈍角又は略半球状な棒状部材と、
前記棒状部材を挿通自在とする内腔を有し、基端部近傍にガス注出孔を有する穿刺針と、
前記穿刺針を挿通自在とする内腔を有し、先端に向かって先細りのテーパー部を有する拡張器と、
前記拡張器を挿通自在とする内腔を有するシースと、
前記棒状部材の先端部に発生する付勢力の有無により、前記棒状部材を前記穿刺針の先端部から突没させる突没調整部と、
前記突没調整部を内装すると共に、前記棒状部材と前記穿刺針との隙間を通って前記ガス注出孔から注入されたガスを貯留させるガス貯留室を有する気密チャンバーと、
を有することを特徴とする胃瘻造設術用拡張器。
【請求項２】
更に、前記気密チャンバーの後端部には、前記突没調整部の基端部と当接するストッパーが嵌装された請求項１に記載の胃瘻造設術用拡張器。
【請求項３】
前記穿刺針の外径が０．５ｍｍ以上、４ｍｍ以下である請求項１または２に記載の胃瘻造設術用拡張器。
【発明の詳細な説明】
【技術分野】
【０００１】
本発明は、胃瘻造設術用拡張器に関する。
【背景技術】
【０００２】
口から栄養を摂取できない患者に対する栄養の投与方法としては、一般的に経静脈的栄養投与、鼻からチューブを胃等に挿入して行う経胃管的栄養投与、および胃瘻からの経腸的栄養投与等が行われている。
近年、経腸栄養剤とその投与法の発達により、経皮内視鏡的胃瘻造設術（ＰＥＧ：Ｐｅｒｃｕｔａｎｅｏｕｓ  Ｅｎｄｏｓｃｏｐｉｃ  Ｇａｓｔｒｏｓｔｏｍｙ）による経腸栄養管理が頻繁に行われるようになってきた。
【０００３】
このＰＥＧの設置方法には、従来から口腔より胃瘻チューブを挿入するＰｕｌｌ法、及び、Ｐｕｓｈ法と、体表からシースを介してチューブを挿入するＩｎｔｒｏｄｕｃｅｒ法の３つの方法が一般的に広く知られている。
【０００４】
Ｐｕｌｌ法及び、Ｐｕｓｈ法においては、咽頭部を胃瘻チューブが通過するために胃瘻チューブを留置する部位の創部感染の可能性がある他、内視鏡を２回挿入する必要があるといった欠点を有していた。
一方、Ｉｎｔｒｏｄｕｃｅｒ法は、胃瘻チューブが咽頭部を通過しないため、上記創部感染の危険性が低く、また内視鏡も１回の挿入ですむが、ガイドワイヤを用いないで太い穿刺針（外径４ｍｍ以上）を穿刺しなければならないため、穿刺に伴う危険性が大きく、さらにシースを介して比較的細径のバルーンカテーテルしか留置できないため栄養剤の投与に時間がかかるという問題点を有している。
【０００５】
最近、体内留置部を有する太径のボタン型胃瘻カテーテルを、体外から腹壁を通して直接胃内に挿入留置する新たな手法が普及しつつある。
この方法では、腹壁及び胃壁を胃壁腹壁固定具と呼ばれる器具を用いて、縫合糸により固定し、ガイドワイヤ下でダイレータを用いて、腹壁及び胃壁に瘻孔を開け、その瘻孔にガイドワイヤ下でオブチュレータにより体内留置部を伸展した太径のボタン型胃瘻カテーテルを挿入し、胃内で体内留置部の伸展を解除してカテーテルを留置する。
【０００６】
しかしながら、瘻孔は通常、チューブ部の外径とほぼ同程度の大きさに形成されるものであり、ダイレータによって新規な瘻孔を形成した時には、ダイレータを体内から抜去することで腹壁が瘻孔を縮めようとする方向に働き、胃瘻カテーテルを挿入する時に瘻孔はダイレータ挿入時より小さくなるものである。
これに対し、ボタン型胃瘻カテーテルは、体内留置部をオブチュレータによって縮径状態にしても、チューブ部よりも外径を小さくすることが困難であるため、ボタン型胃瘻カテーテルの挿入時には、体内留置部が瘻孔を押し拡げるように働き、挿入抵抗が若干大きくなる点でさらなる挿入性の向上が求められている。
【０００７】
また、新規瘻孔形成時は内視鏡から充分な送気をして胃を膨らませた状態で行うことが通常の方法である。しかしながら、太径のボタン型胃瘻カテーテルを挿入するためには、ダイレータでそれに見合った大きな瘻孔を開けなければならず、ダイレータを抜いたときには、瘻孔を通じて内視鏡から送気された空気が逃げることがあるため、内視鏡の視野が悪くなる場合があり、状況によりしばしば送気する必要がある。
【０００８】
上記の課題に対して、ボタン型胃瘻カテーテルを留置する際の挿入抵抗を低減させることが可能で、かつ内視鏡の送気コントロールを容易にし、術中の内視鏡の視野を安定化させることが可能な胃瘻用シース、シース付ダイレータが開示されている(例えば、特許文献１参照)。
【先行技術文献】
【特許文献】
【０００９】
【特許文献１】特開２００９−１４８５５４号公報
【発明の概要】
【発明が解決しようとする課題】
【００１０】
ところが、特許文献１によれば、シース付ダイレータにて組織を安全、確実に拡張する際には、まずガイドワイヤを留置し、そのガイドワイヤに沿って、シース付ダイレータを挿入するステップが必要であった。
一般的に、ガイドワイヤを用いて胃瘻カテーテルを留置する従来の方法では、以下の(１)〜（５）のステップを行う必要がある。
(１)胃瘻造設部位にカニューラ針を穿刺する。
(２)カニューラ針の内針を抜去する。
(３)カニューラの中を通してガイドワイヤを胃内に挿入する。
(４)カニューラを抜去し、ガイドワイヤを留置する。
(５)ガイドワイヤの後端側から拡張器の先端を通す。(その後、拡張器により瘻孔を拡張する。)
本発明の課題は、従来のガイドワイヤを用いる胃瘻造設手技に比較して、ガイドワイヤを用いるステップを省略することにより手術時間を短縮でき、且つ使用器具の削減を図ることができると共に、ガイドワイヤを使用しなくても安全、確実に胃瘻造設を行うことができる胃瘻造設術用拡張器を提供することである。
【課題を解決するための手段】
【００１１】
このような目的は、下記（１）〜（５）に記載の本発明により達成される。
（１）先端部が鈍角又は略半球状な棒状部材４と、
前記棒状部材４を挿通自在とする内腔を有する穿刺針３と、
前記穿刺針３を挿通自在とする内腔を有し、先端に向かって先細りのテーパー部を有する拡張器２と、
前記拡張器２を挿通自在とする内腔を有するシース１と、
から構成されると共に、
前記棒状部材４の先端部において、前記棒状部材４の基端部側に向かって発生する付勢力の有無により、前記棒状部材４を、前記穿刺針３の先端部から突没させる突没調整部（５）を有することを特徴とする胃瘻造設術用拡張器。
（２）前記突没調整部５は、前記棒状部材４の基端部に付設されたフランジ部材４４と、前記フランジ部材４４に当接する弾性部材５２とを内部に有するケース部材５１から構成されている（１）に記載の胃瘻造設術用拡張器。
（３）先端部が鈍角又は略半球状な棒状部材４と、
前記棒状部材４を挿通自在とする内腔を有し、基端部近傍にガス注出孔３５を有する穿刺針３と、
前記穿刺針３を挿通自在とする内腔を有し、先端に向かって先細りのテーパー部を有する拡張器２と、
前記拡張器２を挿通自在とする内腔を有するシース１と、
から構成されると共に、
前記棒状部材４の先端部に発生する付勢力の有無により、前記棒状部材４を前記穿刺針３の先端部から突没させる突没調整部５と、を有し、
更に、前記突没調整部５を内装すると共に、前記棒状部材４と前記穿刺針３との隙間を通って前記ガス注出孔３５から注入されたガスを貯留させるガス貯留室７２を有する気密チャンバー７と、
から構成されていることを特徴とする胃瘻造設術用拡張器。
（４）更に、前記気密チャンバー７の後端部には、前記突没調整部５の基端部と当接するストッパー５が嵌装された（３）に記載の胃瘻造設術用拡張器。
（５）前記穿刺針３の外径が０．５ｍｍ以上、４ｍｍ以下である（１）乃至（４）のいずれかに記載の胃瘻造設術用拡張器。
【発明の効果】
【００１２】
本発明によれば、ガイドワイヤを用いる従来の手技に比較して、ガイドワイヤを用いるステップを省略することにより手術時間を短縮でき、且つ使用器具の削減を図ることができると共に、ガイドワイヤを使用しなくても安全、確実に胃瘻造設を行うことができる胃瘻造設術用拡張器を提供することができる。
【図面の簡単な説明】
【００１３】
【図１】本発明の一実施例における第一の胃瘻造設術用拡張器の棒状部材先端部に付勢力が作用していない状態での正面図（ａ）、（ａ）の断面図（ｂ）、棒状部材先端部に付勢力が作用した際の断面図（ｃ）を示す。
【図２】本発明の他の実施例における第二の胃瘻造設術用拡張器の棒状部材先端部に付勢力が作用していない状態での正面図（ａ）、（ａ）の断面図（ｂ）、棒状部材先端部において棒状部材４の基端部側に向かって付勢力が作用した際の断面図（ｃ）、棒状部材先端部に付勢力が作用していない状態でストッパーを取り外した時の断面図（ｄ）、穿刺針が拡張器内部に収納された時の断面図（ｅ）を示す。
【発明を実施するための形態】
【００１４】
本発明の一実施例における第一の胃瘻造設術用拡張器を、図１（ａ）〜（ｃ）を参照して説明する。
図１（ａ）は、本発明の一実施例における第一の胃瘻造設術用拡張器０１において、シース１、拡張器２、穿刺針３、棒状部材４、突没調整部５、固定部６を組み合わせた時の未使用時の正面図を示す。ここで未使用時とは、棒状部材先端部に付勢力が働いていない状態のことを指す。
図１（ｂ）は、図１（ａ）の断面図を示しており、図１（ｂ）を用いて、各部の構成を説明する。
【００１５】
シース１は、シース本体となる円筒形状のシース胴体部１２と、その先端に向かってテーパー形状のシース先端部１１及びシース後端部１３に付設されたシース把持部１４を有している。シース把持部１４は、シース１の基端部側の内腔からシース先端部１１へ向けて胃瘻カテーテル（ボタン型カテーテル）(図示せず)を挿入する際に、シース１を把持するために付設されていることが好ましい。
また、シース１は、長手方向に渡って中空構造の内腔を有しており、拡張器２が挿通可能となっている。シース先端部１１の内径は、拡張器胴体部２２の外径とほぼ同径が好ましい。また、シース先端部１１と、拡張器胴体部２２との段差は最小限にすることが好ましい。こうすることで、拡張器２を挿入後、シース先端部１１が挿入される際の抵抗を下げることができるため、拡張器２を容易に挿入することができる。
【００１６】
更に、シース１の外表面の長手方向に渡り、切込み溝(図示せず)を有していることが望ましい。シース１の基端部側の内腔からシース先端部１１へ向けて胃瘻カテーテル (図示せず)を挿入する際に、切込み溝の薄肉部を引きちぎることにより、胃瘻カテーテルを容易に留置することができる。
【００１７】
拡張器２は、拡張器本体となる円筒形状の拡張器胴体部２２と、その先端に向かって先細りのテーパー部である拡張器先端部２１及び固定部６を介して突没調整部５と接続される拡張器後端部２３を有している。
また、拡張器２は、長手方向に渡って中空構造の拡張器内腔２４を有しており、穿刺針３が挿通可能となっている。拡張器先端部２１の内径は、穿刺針胴体部３２の外径とほぼ同径が好ましい。
また、拡張器先端部２１と、穿刺針胴体部３２の外径との段差は最小限にすることが好ましい。こうすることで、穿刺針３を穿刺後、拡張器先端部２１が挿入される際の抵抗を下げることができるため、拡張器２を容易に挿入することができる。
【００１８】
穿刺針３は、穿刺針本体となる円筒形状の穿刺針胴体部３２と、その先端に向かって鋭利な刃を有する穿刺針先端部３１及び固定部６を介して突没調整部５と接続される穿刺針後端部３３を有している。
また、穿刺針３は、長手方向に渡って中空構造の穿刺針内腔３４を有しており、棒状部材４が挿通可能となっている。
穿刺針３の外径は、組織に対してガイドワイヤなどのガイドなしに穿刺するために、極力細いほうが安全に穿刺できる点で好ましく、特に限定されないが、０．５ｍｍ以上、４ｍｍ以下の範囲が好ましく、特に０．５ｍｍ以上、３ｍｍ以下の範囲が好ましい。
【００１９】
棒状部材４は、棒状部材本体となる円筒形状の棒状部材胴体部４２と、先端が鈍角又は略半球状な棒状部材先端部４１及び棒状部材後端部４３に付設されたフランジ部４４を有している。棒状部材先端部４１は、胃壁損傷防止のために先端が鈍角または略半球状になっているため、未使用状態においては、棒状部材先端部４１において棒状部材４の基端部側に向かって付勢力が作用しておらず、穿刺針先端部３１より先端側に突出した位置となっている。体表への穿刺開始時および、穿刺中においては、組織によって棒状部材先端部４１において棒状部材４の基端部側に向かって付勢力が作用するために、棒状部材先端部４１は穿刺針先端部３１より基端部側へ移動する。（図１（ｃ）参照）
棒状部材後端部４３に付設されたフランジ部４４は、ケース部材５１の内部に位置しており、同じくケース部材５１の内部に存在する弾性部材５２に当接している。上述した棒状部材先端部４１において棒状部材４の基端部側に向かって付勢力が作用したときには、フランジ部４４が弾性部材５２を押し縮め、穿刺針３に対する棒状部材４の相対位置が変化する（図１（ｃ）参照）。
フランジ部４４の形状は特に規定しないが、円盤形状であることが好ましい。円盤形状にすることにより、弾性部材５２に均等な力で付勢力を作用させることができる。
【００２０】
突没調整部５は、ケース部材５１及び弾性部材５２からなり、上述したとおり、棒状部材後端部４３に付設されたフランジ部４４を内部に有している。
ケース部材５１は、弾性部材５２の状態変化が確認できることが好ましいため、透明性を有している材料から構成されることが好ましい。
また、ケース部材５１の長手方向の長さは、穿刺針先端部３１より棒状部材先端部４１が基端部側へ移動するだけの長さがあればよく、特に規定しない。
弾性部材５２は、付勢力により状態変化できるものであれば、特に限定しないが、バネ、スポンジなどが好ましい。
【００２１】
固定部６は、本実施例において固定部材Ａ６１であり、拡張器後端部２３、穿刺針後端部３３及びケース部材５１を固定している。この固定により、拡張器２と穿刺針３と突没調整部５の相対位置は変化しないため、穿刺針先端３１に対して棒状部材４のみの相対位置が変化するように構成されている。固定部材Ａ６１は、各構成部品と接着してもよいし、拡張器２もしくはケース部材５１と一体的に成形しても構わない。
【００２２】
次に図２（ａ）〜（ｅ）を参照して、本発明の他の実施例における第二の胃瘻造設術用拡張器０２について説明する。
図２（ａ）は、本発明の他の実施例における第二の胃瘻造設術用拡張器０２において、シース１、拡張器２、穿刺針３、棒状部材４、突没調整部５、固定部６、気密チャンバー７を組み合わせた時の未使用時の正面図を示す。ここで未使用時とは、棒状部材先端部に付勢力が作用していない状態のことを指す。
図２（ｂ）は、図２（ａ）の断面図を示しており、図２（ｃ）は棒状部材先端部において棒状部材４の基端部側に向かって付勢力が作用した際の断面図、図２（ｄ）は、棒状部材先端部に付勢力が作用していない状態でストッパーを取り外した時の断面図、図２（ｅ）は、穿刺針が拡張器内部に収納された時の断面図をそれぞれ示す。
【００２３】
図２（ｂ）を参照しながら、第二の胃瘻造設術用拡張器０２における第一の胃瘻造設術用拡張器０１との相違点を中心に説明する。
第二の胃瘻造設術用拡張器０２は、基端部側に気密チャンバー７を有しており、固定部Ｂ６２を介して拡張器２と固定されている。
【００２４】
気密チャンバー７は、気密チャンバーケース７１と、気密弁７４及び気密チャンバーケース７１の基端部側に設けられたストッパー差込み孔７３を介して、ストッパー７５が着脱自在に嵌装されている。
また気密チャンバーケース７１の内部には突没調整部５を内包している。ストッパー７５は、突没調整部５の基端部と当接するように嵌装されており、ストッパー７５が嵌装している状態においては、気密チャンバー７と突没調整部５の相対位置が変化しないようになっている。
【００２５】
気密チャンバーケース７１の突没調整部５よりも先端側の空間は、ガス貯留室７２となっており、気密性を有している。
気密弁７４は、ガス貯留室７２の先端側に付設されており、穿刺針胴体部３２が移動可能で且つ、気密性を保持するように設けられている。
ストッパー７５を取り外した状態で、ガス貯留室７２の内部にガスが入ることにより体積を増加させることができ、気密チャンバー７に対する突没調整部５の相対位置が変化することになる。
【００２６】
穿刺針後端部３３には、ガス注入孔３５を有している。ガス注入孔３５は、穿刺針３の内部と外表面を貫通する孔であればよく、十分な量のガスが放出可能であれば、１つの孔であっても複数の孔でも良い。また、孔の形状については、円形でも四角形でも特に規定しない。
穿刺針先端部３１と棒状部材胴体部４２との隙間からガスが入った場合、ガス注入孔３５が出口となり、ガス貯留室７２の内部にガスが入ることが可能となる。
上述したように、穿刺針先端部３１と棒状部材胴体部４２との隙間からガスが入ると、ガス注入孔３５から、ガス貯留室７２の内部にガスが入り、ガス貯留室７２の体積が増加することにより、気密チャンバー７に対する突没調整部５の相対位置が変化する。
更に、突没調整部５の相対位置が変化することにより、拡張器２に対する穿刺針３の相対位置が変化し、穿刺針先端部３１は拡張器先端部２１よりも基端部側へ移動し、拡張器２内に収納された状態となる。
【００２７】
次に、図２（ａ）〜（ｅ）を参照しながら、本発明の第二の胃瘻造設術用拡張器０２を用いた経皮内視鏡的胃瘻造設術（ＰＥＧ）の一例について説明する。
【００２８】
本発明の胃瘻造設術用拡張器を用いた経皮内視鏡的胃瘻造設術は、胃内に内視鏡を挿入し、術部を観察しながら行う。
その工程は、以下の工程からなる。
（１）腹壁と胃壁とを固定する固定する工程(以下、第１工程とも記載する)。
（２）腹壁及び胃壁に本発明の胃瘻造設術用拡張器を穿刺・挿入し、穿刺針の貫通孔の径を拡張して瘻孔を形成する工程(以下、第２工程とも記載する)。
（３）シースのみを残して、胃瘻造設術用拡張器を抜去する工程(以下、第３工程とも記載する)。
（４）シースを介して胃瘻カテーテルを胃内に留置する工程(以下、第４工程とも記載する)
【００２９】
第１工程の前に、患者の胃内に内視鏡を挿入し送気を十分に行い、腹壁と胃壁とを密着させる。次に、胃内の内視鏡からの透過光により胃の位置及び穿刺予定位置を確認し、腹部皮膚を消毒、局所麻酔を行う。
続いて、第１工程として、その部位において、腹壁と胃壁の相対位置のずれを防止するため、胃壁腹壁固定を行う。
穿刺予定位置に、メスで小切開を加えておく。場合によっては、金属鉗子によって充分に組織(筋層)剥離を行うことにより、より瘻孔造設術用拡張器が挿入しやすくなる。この部位が、カテーテルの挿入予定部位となる。
【００３０】
第２工程では、小切開部位に本発明の第二の胃瘻造設術用拡張器０２を穿刺・挿入し、腹部と胃の貫通孔形成を経て、貫通孔の径を拡張して瘻孔を形成する。以下に詳細に説明する。
図２（ａ）及び（ｂ）の状態の第二の胃瘻造設術用拡張器０２の棒状部材先端部４１を小切開部位に押し当て、先端側へ力を加えていくことにより、棒状部材先端部４１において棒状部材４の基端部側に向かって付勢力が作用し、図２（ｃ）に見られるように棒状部材先端部４１は穿刺針先端部３１よりも基端部側へ移動し、穿刺針先端部３１が小切開部位に当接する状態となる。この状態にてさらに先端側へ力を加えることにより、穿刺針３が腹壁、胃壁を穿刺することが可能となる。
胃内に穿刺針先端部３１が到達したとき、棒状部材先端部４１に付勢力が作用しなくなるため、図２（ｄ）のように棒状部材先端部４１は穿刺針先端部３１よりも先端側へ移動し、穿刺針先端部３１による胃後壁損傷等を防止することが可能となる。
また、穿刺針３により設けられた貫通孔は、穿刺針３と拡張器２とシース１は一体型に構成されているため、連続して拡張器２、続いてシース１にて貫通孔の径を拡張する。
内視鏡にて、胃内に拡張器先端部２１が到達したことを確認した後、図２（ｄ）のようにストッパー７５を取り外す。本術式において、内視鏡の送気ガスにより、胃を膨張させているため、胃内圧が高くなっている。そのため、ストッパー７５を取り外すと、穿刺針先端部３１と棒状部材４との隙間からガスが入り、穿刺針内腔３４を通って、ガス注入孔３５からガス貯留室７２にガスが貯留されることにより、突没調整部５が基端部側へ移動し、突没調整部５と連結され、連動して可動するように取り付けられた穿刺針３も連動して基端部側へ移動する。このようにして、穿刺針先端部３１は、拡張器２内に収納される。（図２（ｅ）参照）
穿刺針先端部３１が拡張器２内に収納されることにより、拡張器２で組織拡張を続ける際に、鋭利な刃を有する穿刺針先端部３１が胃後壁へ誤穿刺されるのを防止できるため、安全に組織の拡張を行うことができる。
ここで、ストッパー７５は、必ずしも必要としない。ストッパー７５を付設しない実施形態において、胃内からのガスがガス貯留室７２に入らない限り、突没調整部５が基端部側へ移動しないように、穿刺針３の基端部側への移動を制限できるように構成したほうが、ストッパー７５の取り外す動作を省略できる点でより好ましい。
【００３１】
上記第３工程では、上記第２工程で瘻孔に留置された胃瘻造設術用拡張器のうち、上記シース１は留置した状態を維持し、それ以外の上記拡張器２を含む構成品を体外へ抜去する。このとき、上記シース１の留置した状態を維持するために、一方の手で上記シース把持部１４を把持固定し、もう一方の手で上記拡張器２を把持して抜去する。こうすることで、上記シース１のみが瘻孔に留置した状態となる。
【００３２】
上記第４工程では、上記シース１を介して胃瘻カテーテル(図示せず)を胃内へ留置する。胃瘻カテーテルは、胃内アンカー部、体内留置部、体外固定部で構成されており、胃内アンカー部は胃から不用意に抜去されるのを防ぐために、マレコット状等の嵩張りのある形状をしている。そのため、オブチュレータと呼ばれる伸展具(図示せず)によって、胃内アンカー部を伸展し、嵩張りを減少させた状態にて胃内に留置する。 
上述したように、伸展具によって伸展させた胃瘻カテーテルを上記シース１の基端部側の内腔より、挿入していくことにより、上記シース１の外表面長手方向に設けられた切込み溝(図示せず)が裂けながら、胃内に留置させる。（特許文献１参照）
胃瘻カテーテルが胃内に留置された後に、上記シース１を抜去し、続いて伸展具による胃瘻カテーテルの伸展を解除し、伸展具を抜去することで、胃瘻カテーテルの留置が完了する。
【００３３】
このように、本願発明の胃瘻造設術用拡張器は、従来のガイドワイヤを用いた拡張方法で必要としていた(１)胃瘻造設部位にカニューラ針を穿刺する、(２)カニューラ針の内針を抜去する、(３)カニューラからガイドワイヤを留置する、(４)カニューラを抜去する、(５)ガイドワイヤの後端側から拡張器の先端を通す(その後、拡張器により拡張)という５ステップを省略することができことにより、手術時間を短縮でき、且つ使用器具の削減を図ることができると共に、ガイドワイヤを使用しなくても安全、確実に胃瘻造設を行うことができる。
以下、参考形態の例を付記する。
１．
先端部が鈍角又は略半球状な棒状部材と、
前記棒状部材を挿通自在とする内腔を有する穿刺針と、
前記穿刺針を挿通自在とする内腔を有し、先端に向かって先細りのテーパー部を有する拡張器と、
前記拡張器を挿通自在とする内腔を有するシースと、
から構成されると共に、
前記棒状部材の先端部において、前記棒状部材の基端部側に向かって発生する付勢力の有無により、前記棒状部材を、前記穿刺針の先端部から突没させる突没調整部を有することを特徴とする胃瘻造設術用拡張器。
２．
前記突没調整部は、前記棒状部材の基端部に付設されたフランジ部材と、前記フランジ部材に当接する弾性部材とを内部に有するケース部材から構成されている１．に記載の胃瘻造設術用拡張器。
３．
先端部が鈍角又は略半球状な棒状部材と、
前記棒状部材を挿通自在とする内腔を有し、基端部近傍にガス注出孔を有する穿刺針と、
前記穿刺針を挿通自在とする内腔を有し、先端に向かって先細りのテーパー部を有する拡張器と、
前記拡張器を挿通自在とする内腔を有するシースと、
から構成されると共に、
前記棒状部材の先端部に発生する付勢力の有無により、前記棒状部材を前記穿刺針の先端部から突没させる突没調整部と、を有し、
更に、前記突没調整部を内装すると共に、前記棒状部材と前記穿刺針との隙間を通って前記ガス注出孔から注入されたガスを貯留させるガス貯留室を有する気密チャンバーと、
から構成されていることを特徴とする胃瘻造設術用拡張器。
４．
更に、前記気密チャンバーの後端部には、前記突没調整部の基端部と当接するストッパーが嵌装された３．に記載の胃瘻造設術用拡張器。
５．
前記穿刺針の外径が０．５ｍｍ以上、４ｍｍ以下である１．乃至４．のいずれかに１つに記載の胃瘻造設術用拡張器。
【符号の説明】
【００３４】
０１  第一の胃瘻造設術用拡張器
０２  第二の胃瘻造設術用拡張器
１    シース
１１  シース先端部
１２  シース胴体部
１３  シース後端部
１４  シース把持部
２    拡張器
２１  拡張器先端部
２２  拡張器胴体部
２３  拡張器後端部
２４  拡張器内腔
３    穿刺針
３１  穿刺針先端部
３２  穿刺針胴体部
３３  穿刺針後端部
３４  穿刺針内腔
３５  ガス注入孔
４    棒状部材
４１  棒状部材先端部
４２  棒状部材胴体部
４３  棒状部材後端部
４４  フランジ部
５    突没調整部
５１  ケース部材
５２  弾性部材
６    固定部
６１  固定部材Ａ
６２  固定部材Ｂ
７    気密チャンバー
７１  気密チャンバーケース
７２  ガス貯留室
７３  ストッパー差込み孔
７４  気密弁
７５  ストッパー
【図１】
0005632224.tif 000002
【図２】
0005632224.tif 000003